(57)【要約】【課題】小型で、安価な衛星放送受信用コンバータを提供する。【解決手段】本発明の衛星放送受信用コンバータは、フィードホーン７が直線状の導波管部８、及びこの導波管部８の一端に設けられた反射面９とで構成され、導波管部８が回路基板２と平行に配置された状態で、導波管部８の外周部が接地用パターン５に半田付けされたため、導波管部８の高さが従来に比して低く、小型となり、また、フィードホーン７は、金属板を折り曲げして形成できるため、安価なものが提供できる。【選択図】　　　　図２
2004015074.tif 000002
【特許請求の範囲】
【請求項１】
一面側に設けられた配線パターンに電気部品を搭載して、所望の回路が形成された回路基板と、この回路基板の他面側に配設された接地用パターンと、少なくとも一端側に開放部が設けられた枠体と、直線状の導波管部、及びこの導波管部の一端に設けられた反射面とを有するフィードホーンとを備え、前記回路基板は、前記電気部品が前記枠体内に位置し、前記接地用パターンが前記枠体から露出して前記開放部を塞ぐように前記枠体に取り付けられると共に、前記導波管部が前記回路基板と平行に配置された状態で、前記導波管部の外周部が前記接地用パターンに接触した状態で取り付けられたことを特徴とする衛星放送受信用コンバータ。
【請求項２】
前記導波管部内には、前記回路基板に取り付けられた直線状のプローブが配設されたことを特徴とする請求項１記載の衛星放送受信用コンバータ。
【請求項３】
前記反射面と対向する前記回路基板には、前記配線パターンの一部で構成されるプローブが設けられたことを特徴とする請求項１記載の衛星放送受信用コンバータ。
【請求項４】
前記導波管部内には、第１のプローブと第１の反射部が配設されると共に、前記反射面と対向する前記回路基板には、前記配線パターンの一部で構成され、前記第１のプローブに対して９０度ずれた状態で延びる第２のプローブが設けられ、この第２のプローブの後方には、第２の反射部が前記回路基板に取り付けられたことを特徴とする請求項１記載の衛星放送受信用コンバータ。
【請求項５】
前記第１のプローブは、前記回路基板から直線状に延びて形成されたことを特徴とする請求項４記載の衛星放送受信用コンバータ。
【請求項６】
前記導波管部は四角型の筒状で形成され、前記反射面が前記導波管部の入り口部に対して傾斜した板部によって構成されたことを特徴とする請求項１から５の何れかに記載の衛星放送受信用コンバータ。
【請求項７】
前記導波管部は、前記接地用パターン側に位置する底板に切り欠き部を有し、この切り欠き部が前記接地用パターンに位置した状態で、前記導波管部の外周部が前記接地用パターンに接触した状態で取り付けられたことを特徴とする請求項１〜６の何れかに記載の衛星放送受信用コンバータ。
【請求項８】
前記底板の一端には、前記回路基板側に延びる折り曲げ片を有し、この折り曲げ片が前記回路基板の一端に当接したことを特徴とする請求項７記載の衛星放送受信用コンバータ。
【請求項９】
前記導波管部には、前記回路基板側に延びる突片を有し、この突片が前記回路基板に設けられた孔に挿入されて、前記導波管部の位置決めを行うようにしたことを特徴とする請求項１〜８の何れかに記載の衛星放送受信用コンバータ。
【請求項１０】
前記導波管部には、前記回路基板と平行に延びる舌片を有し、この舌片が前記接地用パターンに接触した状態で取り付けられたことを特徴とする請求項１〜９の何れかに記載の衛星放送受信用コンバータ。
【請求項１１】
前記フィードホーンは、金属板が折り曲げされて形成されたことを特徴とする請求項１〜１０の何れかに記載の衛星放送受信用コンバータ。
【請求項１２】
前記導波管部の外周部が前記接地用パターンに半田付けされたことを特徴とする請求項１〜１１の何れかに記載の衛星放送受信用コンバータ。
【発明の詳細な説明】
【０００１】
【発明の属する技術分野】
本発明は衛星放送を受信するための衛星放送受信用コンバータに関する。
【０００２】
【従来の技術】
従来の衛星放送受信用コンバータの構成を図７に基づいて説明すると、亜鉛ダイキャストからなる箱形の枠体５１は、上板５１ａと、この上板５１ａの四方から下方に延びる側板５１ｂと、上板５１ａと側板５１ｂとで囲まれて形成された収納部５１ｃと、上板５１ａに設けられた円形の孔５１ｄとを有する。
【０００３】
フィードホーン５２は、枠体５１と一体に金属ダイキャストによって形成され、円筒状で直線状に延びる導波管部５２ａと、導波管部５２ａの先端部に設けられたラッパ状部５２ｂとを有し、このフィードホーン５２は、中心部の中空部５２ｃが枠体５１の孔５１ｄと一致した状態で、導波管部５２ａが上板５１から垂直方向に延びて形成されている。
【０００４】
プリント基板からなる回路基板５３は、一面側に配線パターン５４が形成され、この配線パターン５４に種々の電気部品５５が搭載されて、所望の受信回路が形成されている。
そして、この回路基板５３は、配線パターン５４が形成されていない他面側から枠体５１内に挿入されて、枠体５１に適宜手段により取り付けられている。
【０００５】
金属板からなる蓋部５６は、枠体５１の開放部を塞ぐように取り付けられて、この蓋体５６と枠体５１とによって、回路基板５３に形成された受信回路が電気的にシールドされた構成となっている。
【０００６】
Ｌ字状をなした金属線からなる第１のプローブ５７は、絶縁体５８で支持されて、この第１のプローブ５７は、一端が導波管部５２ａ内に位置すると共に、他端が上板５１ａと回路基板５３を貫通して配線パターン５４に半田付けされている。
そして、この第１のプローブ５７は、垂直偏波、或いは水平偏波の何れか一方を受けるようになっている。
【０００７】
棒状の金属線からなら第１の反射部５９は、第１のプローブ５７と対向した状態で、導波管部５２ａ内の後方に位置し、導波管部５２ａに適宜手段により取り付けられている。
【０００８】
第２のプローブ６０は、配線パターン５４の一部で形成され、導波管部５２ａの中空部５２ｃと対向すると共に、第１のプローブ５７と９０度ずれた状態で延びている。
そして、この第２のプローブ６０は、垂直偏波、或いは水平偏波の何れか他方を受けるようになっている。
【０００９】
第２の反射部６１は、金属ダイキャストによりキャップ状に形成され、反射部となる底壁６１ａと、この底壁６１ａの周囲から直角状態で延びる側壁６１ｂとで構成されている。
そして、この第２の反射部６１は、第２のプローブ６０の後方位置で第２のプローブ６０を囲むように配置されて、側壁６１ｂが配線パターン５４のアースパターンに半田付けされて取り付けられている。
【００１０】
【発明が解決しようとする課題】
従来の衛星放送受信用コンバータは、フィードホーン５２が枠体５１の上板５１ａから垂直方向に延びて形成されるため、全体が大型になるという問題がある。
また、枠体５１とフィードホーン５２とが金属ダイキャストにより一体に製造されるため、コスト高になるという問題がある。
また、回路基板５４に形成された回路をシールドするために、枠体５１の上板５１ａと蓋部５６が必要で、材料費が多くなってコスト高になるという問題がある。
【００１１】
そこで、本発明は小型で、安価な衛星放送受信用コンバータを提供することを目的とする。
【００１２】
【課題を解決するための手段】
上記課題を解決するための第１の解決手段として、一面側に設けられた配線パターンに電気部品を搭載して、所望の回路が形成された回路基板と、この回路基板の他面側に配設された接地用パターンと、少なくとも一端側に開放部が設けられた枠体と、直線状の導波管部、及びこの導波管部の一端に設けられた反射面とを有するフィードホーンとを備え、前記回路基板は、前記電気部品が前記枠体内に位置し、前記接地用パターンが前記枠体から露出して前記開放部を塞ぐように前記枠体に取り付けられると共に、前記導波管部が前記回路基板と平行に配置された状態で、前記導波管部の外周部が前記接地用パターンに半田付けされた構成とした。
【００１３】
また、第２の解決手段として、前記導波管部内には、前記回路基板に取り付けられた直線状のプローブが配設された構成とした。
また、第３の解決手段として、前記反射面と対向する前記回路基板には、前記配線パターンの一部で構成されるプローブが設けられた構成とした。
【００１４】
また、第４の解決手段として、前記導波管部内には、第１のプローブと第１の反射部が配設されると共に、前記反射面と対向する前記回路基板には、前記配線パターンの一部で構成され、前記第１のプローブに対して９０度ずれた状態で延びる第２のプローブが設けられ、この第２のプローブの後方には、第２の反射部が前記回路基板に取り付けられた構成とした。
また、第５の解決手段として、前記第１のプローブは、前記回路基板から直線状に延びて形成された構成とした。
【００１５】
また、第６の解決手段として、前記導波管部は四角型の筒状で形成され、前記反射面が前記導波管部の入り口部に対して傾斜した板部によって構成された。
【００１６】
また、第７の解決手段として、前記導波管部は、前記接地用パターン側に位置する底板に切り欠き部を有し、この切り欠き部が前記接地用パターンに位置した状態で、前記導波管部の外周部が前記接地用パターンに接触した状態で取り付けられた構成とした。
【００１７】
また、第８の解決手段として、前記底板の一端には、前記回路基板側に延びる折り曲げ片を有し、この折り曲げ片が前記回路基板の一端に当接した構成とした。
また、第９の解決手段として、前記導波管部には、前記回路基板側に延びる突片を有し、この突片が前記回路基板に設けられた孔に挿入されて、前記導波管部の位置決めを行うようにした構成とした。
【００１８】
また、第１０の解決手段として、前記導波管部には、前記回路基板と平行に延びる舌片を有し、この舌片が前記接地用パターンに接触した状態で取り付けられた構成とした。
また、第１１の解決手段として、前記フィードホーンは、金属板が折り曲げされて形成された構成とした。
また、第１２の解決手段として、前記導波管部の外周部が前記接地用パターンに半田付けされた構成とした。
【００１９】
【発明の実施の形態】
本発明の衛星放送受信用コンバータの図面を説明すると、図１は本発明の衛星放送受信用コンバータの平面図、図２は図１の２−２線における断面図、図３は本発明の衛星放送受信用コンバータに係り、回路基板の平面図、図４は本発明の衛星放送受信用コンバータに係り、フィードホーンの斜視図、図５は本発明の衛星放送受信用コンバータに係り、フィードホーンを裏返した状態の斜視図、図６は本発明の衛星放送受信用コンバータに係り、第２の反射部の斜視図である。
【００２０】
次に、本発明の衛星放送受信用コンバータの構成を図１〜図６に基づいて説明すると、金属板からなる枠体１は、上下に開放部を有するロ字状で構成されている。
【００２１】
プリント基板からなる回路基板２は、一面側に配線パターン３が形成され、この配線パターン３に種々の電気部品４が搭載されて、所望の受信回路が形成されている。
また、回路基板２の他面側のほぼ全面には、シールド用の接地用パターン５が設けられている。
【００２２】
回路基板２は、特に図３に示すように、略四角形状の大きな孔２ａと、この孔２ａ内に突出する突片２ｂと、孔２の対向する２辺に沿って設けられた複数の孔２ｃと、この孔２ｃの間に設けられた一つの孔２ｄと、この孔２ｄに対向して形成された円形の孔２ｅとを有する。
【００２３】
そして、突片２ｂ上と、孔２ｅの周辺には、接地用パターン５が形成されていない状態にあると共に、突片２ｂの反対面には、配線パターン３の一部で構成される導電パターン（後述する第２のプローブ１２）が設けられている。
【００２４】
そして、このような構成を有する回路基板２は、ロ字状の枠体１の一方の開放部塞ぐように、枠体１に半田付け等によって取り付けられる。
即ち、回路基板２は、電気部品４を枠体１の内部に位置した状態で、接地用パターン５が枠体１から露出して外側に位置し、接地用パターン５が枠体１に半田付けされて取り付けられる。
【００２５】
金属板からなる蓋部６は、枠体１の他方の開放部を塞ぐように取り付けられて、この蓋体５と枠体１、及び接地用パターン５とによって、回路基板２に形成された受信回路が電気的にシールドされた構成となっている。
【００２６】
ブリキ等の金属板が折り曲げされて形成されたフィードホーン７は、中心部に中空部８ａを有する四角型の筒状で形成された導波管部８と、この導波管部８の一端に設けられ、導波管部８の入り口部８ｂに対して傾斜した反射面９とで構成されている。
【００２７】
そして、導波管部８は、特に図４，図５に示すように、上板１０ａと、この上板１０ａから下方に折り曲げされた一対の側板１０ｂと、この側板１０ｂの下部の一部（前方部）を塞ぐ底板１０ｃと、上板１０ａの一端である後端から入り口部８ｂに対して傾斜した状態で設けられ、反射面９を形成する板部１０ｄと、導波管部８の後端部を塞ぐ後板１０ｅを有する。
【００２８】
また、導波管部８は、板部１０ｄの近傍に上板１０ａに設けられた孔１０ｆと、側板１０ｂから下方に延びる複数の突片１０ｇと、側板１０と後板１０ｅから直角に折り曲げられ、回路基板２と平行な複数の舌片１０ｈと、後方側の底板１０ｃに設けられた切り欠き部１０ｊと、底板１０ｃの後方端部に設けられたＬ字状の折り曲げ片１０ｋを有する。
また、底板１０ｃに設けられた切り欠き部１０ｊは、板部１０ｄとこの板部１０ｄの近傍に位置する上板１０ａとに対向している。
【００２９】
そして、このように構成された導波管部８は、底板１０ｃを接地用パターン５側にして、折り曲げ片１０ｋが回路基板２の一端側に当接、抱持した状態で、突片１０ｇを孔２ｃ挿入して位置決めした状態で、導波管部８の外周部の全周が接地用パターン５に半田付けされる。
この半田付けは、側板１０ｂと後板１０ｅの下方部が接地用パターン５に半田付けされると共に、舌片１０ｈも接地用パターン５に半田付けされて、フィードホーン７の取付強度を大きくしている。
【００３０】
フィードホーン７が取り付けられた際、導波管部８は、回路基板２に密着した状態で、回路基板２と平行の延び、底板１０ｃを有する部分が回路基板２から外方に突出すると共に、切り欠き部１０ｊが回路基板２上に位置して、接地用パターン５によって塞がれた状態となっている。
【００３１】
フィードホーン７が取り付けられた際、孔２ａは導波管部８内に位置して、回路基板２の突片２ｂが反射面９と対向した状態となっている。
なお、切り欠き部１０ｊは、反射面９と対向する箇所に設けて、この箇所まで底板１０ｃを延ばしても良い。
【００３２】
棒状の金属線からなる第１のプローブ１１は、一端が導波管部８内に位置すると共に、他端が回路基板２の孔２ｅを貫通して配線パターン３に半田付けされている。
そして、この第１のプローブ１１は、垂直偏波、或いは水平偏波の何れか一方を受けるようになっている。
【００３３】
第２のプローブ１２は、回路基板２の突片２ｂの位置で、配線パターン３の一部で形成され、反射面９と対向すると共に、第１のプローブ１１と９０度ずれた状態で延びている。
そして、この第２のプローブ１２は、垂直偏波、或いは水平偏波の何れか他方を受けるようになっている。
【００３４】
第２の反射部１３は、特に図６に示すように、ブリキ等の金属板を折り曲げて形成され、四角状のキャップ状部１４と、このキャップ状部１４の一端から延びる帯状部１５とで構成されている。
そして、キャップ状部１４は、第２の反射部１３となる矩形状の底壁１４ａと、この底壁１４ａの四方から上方に折り曲げられた側壁１４ｂとを有し、この側壁１４ｂから帯状部１５が上方に延びている。
【００３５】
そして、この第２の反射部１３を形成するキャップ状部１４は、第２のプローブ１２の後方位置で第２のプローブ１２を囲むように配置されて、側壁１４ｂが配線パターン３のアースパターンに半田付けされて取り付けられている。
【００３６】
また、キャップ状部１４が取り付けられた際、帯状部１５は、回路基板２の孔２ｄを貫通し、第１のプローブ１１の後方位置で第１プローブ１１と対向した状態で、導波管部８内に位置して、第１の反射部１６を形成している。
更に、帯状部１５の先端部は、導波管部８の上板１０ａに設けられた孔１０ｆに嵌入して、帯状部１５の取付を強固にしている。
【００３７】
なお、上記実施例では、第１，第２のプローブを使用したもので説明したが、第１，第２のプローブの内の何れか一方のみを使用したものでも良い。
また、上記実施例では、フィードホーンが接地用パターンに半田付けされたもので説明したが、フィードホーンがカシメやネジ等の手段によって回路基板に取り付けられても良い。
【００３８】
【発明の効果】
本発明の衛星放送受信用コンバータは、一面側に設けられた配線パターンに電気部品を搭載して、所望の回路が形成された回路基板と、この回路基板の他面側に配設された接地用パターンと、少なくとも一端側に開放部が設けられた枠体と、直線状の導波管部、及びこの導波管部の一端に設けられた反射面とを有するフィードホーンとを備え、回路基板は、電気部品が枠体内に位置し、接地用パターンが枠体から露出して開放部を塞ぐように枠体に取り付けられると共に、導波管部が回路基板と平行に配置された状態で、導波管部の外周部が接地用パターンに接触した状態で取り付けられた構成とした。
このように、導波管部が回路基板と平行に配置された状態で、導波管部の外周部が接地用パターンに半田付けされたため、導波管部の高さが従来に比して低く、小型の衛星放送受信用コンバータを提供できる。
また、フィードホーンは、金属板を折り曲げして形成できるため、安価なものが提供できる。
また、接地用パターンが枠体の一部を兼ねるため、材料費が少なく、安価となる。
【００３９】
また、導波管部内には、回路基板に取り付けられた直線状のプローブが配設されたため、プローブの形状がシンプルで、導波管部内への配置が容易である。
【００４０】
また、反射面と対向する回路基板には、配線パターンの一部で構成されるプローブが設けられたため、プローブの構成が極めて簡単で、生産性の良いものが得られる。
【００４１】
また、導波管部内には、第１のプローブと第１の反射部が配設されると共に、反射面と対向する回路基板には、配線パターンの一部で構成され、第１のプローブに対して９０度ずれた状態で延びる第２のプローブが設けられ、この第２のプローブの後方には、第２の反射部が回路基板に取り付けられたため、第１のプローブと第１の反射部の取付が容易となり、生産性の良好なものが得られ、また、第１のプローブを支持するための従来の絶縁体が不要となって、コスト低減が図れる。
【００４２】
また、第１のプローブは、回路基板から直線状に延びて形成されたため、第１のプローブの形状がシンプルで、導波管部内への配置が容易である。
【００４３】
また、導波管部は四角型の筒状で形成され、反射面が導波管部の入り口部に対して傾斜した板部によって構成されたため、反射面の形成が容易で、組立性の良好なものが得られる。
【００４４】
また、導波管部は、接地用パターン側に位置する底板に切り欠き部を有し、この切り欠き部が接地用パターンに位置した状態で、導波管部の外周部が接地用パターンに接触した状態で取り付けられたため、特に、この切り欠き部の位置に第１のプローブと第１の反射部とを配置すると、第１のプローブと第１の反射部の取付がより容易となり、生産性の良好なものが得られる。
【００４５】
また、底板の一端には、回路基板側に延びる折り曲げ片を有し、この折り曲げ片が回路基板の一端に当接したため、導波管部の底板側のシールド効果を向上させることができる。
【００４６】
また、導波管部には、回路基板側に延びる突片を有し、この突片が回路基板に設けられた孔に挿入されて、導波管部の位置決めを行うようにしたため、フィードホーンの取付位置の正確なものが得られる。
【００４７】
また、導波管部には、回路基板と平行に延びる舌片を有し、この舌片が接地用パターンに接触した状態で取り付けられたため、フィードホーンの取付の強固なものが得られる。
【００４８】
また、フィードホーンは、金属板が折り曲げされて形成されたため、安価なものが得られる。
【００４９】
また、導波管部の外周部が接地用パターンに半田付けされたため、その取付が強固であると共に、導波管部と接地用パターンとの間に隙間が無く、遮蔽の良好なものが得られる。
【図面の簡単な説明】
【図１】本発明の衛星放送受信用コンバータの平面図。
【図２】図１の２−２線における断面図。
【図３】本発明の衛星放送受信用コンバータに係り、回路基板の平面図。
【図４】本発明の衛星放送受信用コンバータに係り、フィードホーンの斜視図。
【図５】本発明の衛星放送受信用コンバータに係り、フィードホーンを裏返した状態の斜視図。
【図６】本発明の衛星放送受信用コンバータに係り、第２の反射部の斜視図。
【図７】従来の衛星放送受信用コンバータの要部の断面図。
【符号の説明】
１　枠体
２　回路基板
２ａ　孔
２ｂ　突片
２ｃ　孔
２ｄ　孔
２ｅ　孔
３　配線パターン
４　電気部品
５　接地用パターン
６　蓋部
７　フィードホーン
８　導波管部
９　反射面
１０ａ　上板
１０ｂ　側板
１０ｃ　底板
１０ｄ　板部
１０ｅ　後板
１０ｆ　孔
１０ｇ　突片
１０ｈ　舌片
１０ｊ　切り欠き部
１０ｋ　折り曲げ片
１１　第１のプローブ
１２　第２のプローブ
１３　第２の反射部
１４　キャップ状部
１４ａ　底壁
１４ｂ　側壁
１５　帯状部
１６　第１の反射部
【図１】
2004015074.tif 000003
【図２】
2004015074.tif 000004
【図３】
2004015074.tif 000005
【図４】
2004015074.tif 000006
【図５】
2004015074.tif 000007
【図６】
2004015074.tif 000008
【図７】
2004015074.tif 000009